(57)【要約】
【課題】  各ゴルフ場のボールマーカーを紛失や散逸することなく、順序よく保存することができるし、文字や形態を刻設することにより、シーズンの記録として残る記念品になる。彫刻装置により、一品制作も量産も可能である。
【解決手段】  マーカー挿着板１は半透明の合成樹脂製蛍光板からなる基板２と、着脱可能な一対の支持脚３、３によって机上等に起立可能に構成してある。基板２の裏面には上端側に「Ｇｏｌｆ  Ｍａｒｋｅｒ  Ｃｏｌｌｅｃｔｉｏｎ」のアルファベット文字からなる第１の彫刻部５が逆文字で刻設してあり、中央には「ゴルフスイングの形態」からなる第２の彫刻部６が彫刻装置により刻設してある。第１及び第２の各彫刻部５、６を除いて基板２には、ボールマーカー５１を挿着するための多数のマーカー挿着穴７が穿設してある。
【選択図】  図１
0003100972.tif 000002
【実用新案登録請求の範囲】
【請求項１】
起立及び／又は吊下げ可能なマーカー挿着板と、該マーカー挿着板の任意の位置に適宜の大きさで刻設した彫刻部と、該彫刻部の形成部分を除いて前記マーカー挿着板に所定の間隔で穿設した多数のボールマーカー用ピン挿装穴とから構成してなるボールマーカー装飾体。
【請求項２】
前記マーカー挿着板は、半透明の合成樹脂板であることを特徴とする請求項１記載のボールマーカー装飾体。
【請求項３】
前記マーカー挿着板は、蛍光板であることを特徴とする請求項２記載のボールマーカー装飾体。
【請求項４】
前記マーカー挿着板は、裏面に前記彫刻部が刻設してあることを特徴とする請求項２又は３記載のボールマーカー装飾体。
【請求項５】
前記彫刻部は、彫刻原版を読み取るスキャナーと、該スキャナーで読み取った画像信号を処理してＮＣデータに変換するパソコンと、該パソコンからの信号に基づいて前記マーカー挿着板に彫刻処理する彫刻機とからなる彫刻装置により刻設してあることを特徴とする請求項１記載のボールマーカー装飾体。
【考案の詳細な説明】
【技術分野】
【０００１】
本考案は、各ゴルフ場が無料で提供しているボールマーカーをゴルフプレーヤーがプレイの記念や思い出に保存しておくために用いて好適なボールマーカー装飾体に関する。
【背景技術】
【０００２】
各ゴルフ場がゴルフプレーヤーに無償で提供しているボールマーカーは、ゴルフ場毎に独自にデザインしたものであることから、ゴルフプレーヤーにとっては当該ゴルフ場でプレイした記念品になるし、１年間分を貯めるとシーズンの記録にもなるものである。このボールマーカーを持ち帰って整理した状態で保存する用具として、例えば実開昭６２−１５２７１号公報に「ゴルフ用ボールマーカーなど脚付き小物保管用額」がある。この考案は、枠体（１）の裏側から、枠体（１）内に台紙（３）とその下に脚付小物の脚部を差込み得る発泡スチロールなどの基板（４）を組合せて挿入し枠体（１）内に保持せしめるようにしたゴルフ用ボールマーカーなど脚付き小物保管用額」が開示されている。
【０００３】
上述した従来技術は、ボールマーカーを挿着する台紙（３）及び基板（４）を枠体（１）内に保持させ、その最上段にガラス（６）を配設した構成にしてあるため、入手したボールマーカーをその都度挿着する場合には枠体（１）から台紙（３）及び基板（４）を取り外さなければならず、保管の手間が面倒であるために結局は使用されないおそれがある。また、記念になる文字表現や形態等を表わすことの工夫はされていないため、使用者が各自で手書きシールでも貼り付けることになり、使用者にとってはこれも面倒なことである。このため、ボールマーカーは、ゴルフバッグや机の引出しの中に放置されているのが現状である。
【０００４】
本願考案に関しては、下記の特許文献がある。
【特許文献１】実開昭６２−１５２７１号公報
【考案の開示】
【考案が解決しようとする課題】
【０００５】
本考案は、上述した従来技術の諸欠点に鑑みなされたもので、ゴルフプレーヤーが収集した各ゴルフ場のボールマーカー、或はホール  イン  ワンをしたゴルフ場の記念となるボールマーカーを文字や形態で表わした記録と共に、簡単に、整理よく置物や壁掛の形で保存することができるようにしたボールマーカー装飾体を提供することを目的とする。
【課題を解決するための手段】
【０００６】
上述した課題を解決するために構成された請求項１に係る本考案の手段は、起立及び／又は吊下げ可能に構成したマーカー挿着板と、該マーカー挿着板の任意の位置に適宜の大きさで刻設した彫刻部と、該彫刻部の形成部分を除いて前記マーカー挿着板に所定の間隔で穿設した多数のボールマーカー挿装穴とから構成してなる。
【０００７】
そして、前記マーカー挿着板には、半透明の合成樹脂板を用いるとよい。
【０００８】
また、前記半透明の合成樹脂板からなるマーカー挿着板には、蛍光板を用いるとよい。
【０００９】
更に、前記マーカー挿着板は、裏面に前記彫刻部を刻設したものにするとよい。
【００１０】
また、前記彫刻部は、彫刻原版を読み取るスキャナーと、該スキャナーで読み取った画像信号を処理してＮＣデータに変換するパソコンと、該パソコンからの信号に基づいて前記マーカー挿着板に彫刻処理する彫刻機とからなる彫刻装置により刻設するとよい。
【考案の効果】
【００１１】
本考案は以上詳述した如く構成したから、下記の諸効果を奏する。
（１）次第に増えていく多数のボールマーカーは、マーカー挿着板のボールマーカー挿着穴に順次挿着するだけで順序立てた状態で容易に整理保存することができるから面倒がない。
（２）ボールマーカーは入手する毎にマーカー挿着板に挿着して保存することができるから、紛失を防止できるし、１年間のゴルフプレーの記録体として利用することができる。
（３）マーカー挿着板は起立及び／又は吊下げ可能に構成したから、サイドボード等の上に立設する、或は壁に吊り下げるといった任意の使い方が可能であるから、置物や壁掛として使用することができる。
（４）マーカー挿着板は半透明の合成樹脂板であるから、彫刻部の仕上がりが奇麗であるし、見る角度によって彫刻部が立体的に見えるので、置物或は壁掛としても好適である。
（５）半透明の合成樹脂板からなるマーカー挿着板に蛍光板を用いることにより、彫刻部が仕上がりよく見栄えがあるボールマーカー装飾体にすることができる。
（６）マーカー挿着板に記念文字、スイングの写真等の任意の態様の彫刻部を刻設することにより、例えばホールインワン達成記念品や優勝記念品としたり、ゴルフコンペテション参加者への記念品とするといった所有者各自にとって価値のある利用が可能である。
（７）彫刻部は、半透明のマーカー挿着板の裏面から刻設することにより、彫刻部を立体的に目視させることができるし、彫刻部の凹部が塵埃で汚れる事態を可及的に防止することができる。
（８）彫刻部は、彫刻装置により彫刻原版の通りに刻設することができるから、独自の任意の記念品に制作することができる。
【考案を実施するための最良の形態】
【００１２】
以下、本考案の実施の形態を図面に基づき詳述する。図１及び図２は第１の実施の形態を示す。図において、１は多数のボールマーカー５１、５１、・・・を挿装するためのマーカー挿着板を示す。なお、ボールマーカー５１は、直径が約１０ｍｍの円板状のマーカー部５１Ａと、該マーカー部５１Ａの裏面中心から突出するピン５１Ｂを合成樹脂材により一体成形したものからなる。２は該マーカー挿着板１を構成する基板で、該基板２は表面２Ａ及び裏面２Ｂが平坦で、例えば黄色、橙色等の適宜の色に着色した半透明の蛍光アクリル板を例えばＡ４サイズの大きさで、約３ｍｍの厚さに成形したものからなっている。
【００１３】
３、３は基板２の下縁側に嵌脱可能に設けた合成樹脂製の一対の支持脚で、該支持脚３、３によって基板２は机やサイドボード等の上に起立した状態に載置することができるようになっている。また、基板２の裏面２Ｂ上縁側中央には掛止フック４が設けてあり、基板２は一対の支持脚３、３を外して壁等に係止することができるようにしてある。
【００１４】
５は基板２の表面２Ａに表われる「Ｇｏｌｆ  Ｍａｒｋｅｒ  Ｃｏｌｌｅｃｔｉｏｎ」のアルファベット文字からなる第１の彫刻部で、該第１の彫刻部５は表面２Ａ側から「Ｇｏｌｆ  Ｍａｒｋｅｒ  Ｃｏｌｌｅｃｔｉｏｎ」と読み取れるように基板２の裏面２Ｂに逆文字で刻設してあり、この彫刻部５は後述する彫刻装置によって刻設してある。
【００１５】
また、６は該第１の彫刻部５の下側に位置して基板２の裏面２Ｂ中央に刻設した「ゴルフスイングの形態」からなる第２の彫刻部で、該第２の彫刻部６も彫刻装置により刻設してある。
【００１６】
７、７、・・・は基板２に穿設した多数のマーカー挿着穴を示す。該各マーカー挿着穴７はボールマーカー５１のピン５１Ｂが若干きつめに挿入できる約４ｍｍの穴径に設定してあり、マーカー挿着穴７、７相互の上下、左右の間隔を２５ｍｍに設定して本実施の形態では基板２に縦横方向に５６個穿設してある。
【００１７】
本実施の形態において、基板２の裏面２Ｂに刻設する前記第１及び第２の彫刻部５、６は彫刻装置により刻設する。該彫刻装置は例えば文字、ゴルフスイングの写真等の彫刻原稿を読み取るスキャナーと、該スキャナーが読み取った画像信号を拡大・縮小、トリミング等の処理をしてＮＣデータに変換した後、駆動信号を出力するためのパソコンと、該パソコンからの駆動信号に基づいて前記基板２に彫刻部を刻設する彫刻機とから構成してある。この彫刻装置を用いることにより、印刷文字、手書き文字、写真等の任意の彫刻原稿を基板２に刻設することができるので、同一のボールマーカー装飾体を複数制作することができるし、自分だけのボールマーカー装飾体を制作することも可能である。
【００１８】
次に、図３乃至図５は第２の実施の形態を示す。図３において、１１はマーカー挿着板で、該マーカー挿着板１１は適宜の色に着色した半透明の合成樹脂製蛍光板からなり、表面１２Ａ及び裏面１２Ｂが平坦な長方形の基板１２と、該基板１２の裏面１２Ｂ上端側及び下端側の位置に幅方向に離間して後方に突設され、壁面等に当接する各一対の当接片１３、１３、１４、１４と、上側の当接片１３、１３に連結した掛け紐１５とから構成してある。
【００１９】
ここで、前記各当接片１３、１４は後述するマーカー挿着穴１７に挿入したボールマーカー５１のピン５１Ｂの先端より若干後方に突出する長さに設定することにより、ピン５１Ｂが壁面Ａ等に当たってマーカー挿着板１１の表面１２Ａ側に突出しないようにすると共に、使用により汚れているピン５１Ｂの先端が壁面Ａ等を汚さないようにしてある。
【００２０】
１６は前記基板１２の表面１２Ａ右下側に表れる彫刻部で、該彫刻部１６は本人の顔部分を表した形態と、「達成  ホール  イン  ワン  ２００３年  ９月１５日  〇〇カントリークラブ  △△コース  ５番ホール」の文字からなっている。そして、該彫刻部１６は第１の実施の形態と同様に彫刻装置によって基板１２の裏面１２Ｂに刻設してある。
【００２１】
１７、１７、・・・は前記彫刻部１６を除いて基板１２に穿設した多数のマーカー挿着穴で、該各マーカー挿着穴１７は第１の実施の形態のマーカー挿着穴７と同径の約４ｍｍの穴径からなっている。
【００２２】
本実施の形態に係るボールマーカー装飾体は壁掛用に構成したもので、基板１２の裏面１２Ｂに当接片１３、１４を突設することにより基板１２に挿着したボールマーカー５１のピン５１Ｂが壁面Ａ等に当たらないようにすることにより、ピン５１Ｂの先端によって壁面Ａ等を汚すことがないし、ボールマーカー５１が基板１２の表面１２Ａ側に突出することもない。
【００２３】
以上詳述した各実施の形態に係るボールマーカー装飾体は、基板２、１２に着色した半透明のアクリル板を用いたから切削加工上の仕上がりがよいと共に、彫刻部５、６、１６が表面２Ａ、１２Ａ側から立体的に見えるので見映えがよく、置物や壁掛にもなり得るものである。
【００２４】
また、彫刻部５、６、１７はスキャナー、パソコン及び彫刻機からなる彫刻装置を用いて基板２、１２に刻設することができるから、スイング中の自分の写真等を刻設することにより、自分だけのボールマーカー装飾体を制作することも容易である。
【００２５】
なお、実施の形態では基板２、１２に穿設した複数のマーカー挿着穴７、１７は縦横方向に配列したが、例えば渦巻き状に配列してもよいもので、配列形状は実施の形態に限定されるものではない。
【００２６】
また、本実施の形態では基板に半透明の合成樹脂板を用いたが、基板は例えば木製板でもよいし、真鍮板、銅板、黄銅板、鋼板等の金属板でもよい。この場合には、彫刻部は基板の表面に刻設することは勿論である。
【産業上の利用可能性】
【００２７】
整理が面倒で散逸し易いボールマーカーを順序に従って保存できるからゴルフプレーの記録体として利用できる。また、同じものを複数個制作することにより例えば参加賞の贈呈品として利用できるし、個人的な記念品としても利用できる。そして、置物や壁掛としての利用価値もある。
【図面の簡単な説明】
【００２８】
【図１】図１及び図２は本考案の第１の実施の形態に係り、図１はボールマーカー装飾体の外観斜視図である。
【図２】図１中のＩＩ−ＩＩ矢示方向拡大断面図である。
【図３】図３乃至図５は第２の実施の形態に係り、図３はボールマーカー装飾体の正面図である。
【図４】マーカー挿着板の部分裏面図である。
【図５】壁に掛けたボールマーカー装飾体の右側面図である。
【符号の説明】
【００２９】
１、１１        マーカー挿着板
２、１２        基板
２Ａ、１２Ａ    表面
２Ｂ、１２Ｂ    裏面
３              支持脚
５、６、１６    彫刻部
７、１７        マーカー挿着穴
１５            掛け紐
５１            ボールマーカー
【図１】
0003100972.tif 000003
【図２】
0003100972.tif 000004
【図３】
0003100972.tif 000005
【図４】
0003100972.tif 000006
【図５】
0003100972.tif 000007